(57)【要約】【課題】シート収納ケースからシートを取り出しやすくし、またシート収納ケースの端面を手前に向けて使用することを可能とし、配置スペースの効率性を高めることができるようにする。【解決手段】紙製の六面体のシート収納ケース１０から、蓋上面１１Ａ、蓋端面５１Ａ、蓋側面３１Ａ，４１Ａを分離して斜めに延びる開口部８２を形成する。シート積層体２は斜めの開口部８２から突出するようになり、シート積層体２に重ねられたシート単体３を上から順番に取り出しやすくなる。また、前方端面５１を手前に向けて使用しやすいものとなる。【選択図】    図２
2004182282.tif 000002
【特許請求の範囲】
【請求項１】
互いに対向する長方形の上面および長方形の底面と、前記上面の長辺と前記底面の長辺とを繋ぐ一対の長方形の側面と、前記上面と底面のそれぞれの短辺および前記一対の側面のそれぞれの短辺を繋ぐ一対の端面とを有して、六面体の箱体とされたシート収納用ケースにおいて、
前記上面には、一方の短辺と他方の短辺との中間に折り部が設けられて、前記上面は前記折り部と前記短辺との間が蓋上面とされ、前記端面は、前記蓋上面に繋がる蓋端面と前記底面に繋がる本体端面とに区分され、それぞれの側面は、前記蓋上面に繋がる蓋側面と前記蓋側面を除く本体側面とに区分されており、
前記蓋上面と蓋端面および蓋側面とで形成された蓋体が、前記折り部を介して上方へ折り曲げられたときに、前記本体端面の開口縁部と前記本体側面の開口縁部および前記折り部とで囲まれた開口部が現れることを特徴とするシート収納ケース。
【請求項２】
前記底面から前記本体端面の開口縁部までの高さ寸法が、前記底面から前記上面までの全体高さ寸法よりも低い請求項１記載のシート収納ケース。
【請求項３】
前記本体側面の開口縁部は、前記本体端面の開口縁部との境界点を起点として前記折り部に向かうにしたがって、前記底面から徐々に離れる傾斜部分を有している請求項２記載のシート収納ケース。
【請求項４】
前記開口縁部までの高さ寸法が、前記全体高さ寸法の２０〜７０％である請求項２または３記載のシート収納ケース。
【請求項５】
前記上面の長辺の長さ寸法に対して、前記蓋上面の同方向の長さ寸法が、２５〜７５％の範囲内である請求項１ないし４のいずれかに記載のシート収納ケース。
【請求項６】
前記箱体が紙材で形成されており、前記端面に切れ目が間欠的に並ぶ切断線が設けられ、この切断線で前記端面を切断することにより、前記蓋端面と本体端面とに分離可能とされている請求項１ないし５のいずれかに記載のシート収納ケース。
【請求項７】
前記箱体が紙材で形成されており、前記側面に切れ目が間欠的に並ぶ切断線が設けられ、この切断線で前記側面を切断することにより、前記蓋側面と本体側面とに分離可能とされている請求項１ないし６のいずれかに記載のシート収納ケース。
【請求項８】
前記折り部に、切れ目が間欠的に並ぶ切断線が設けられ、この切断線で前記蓋体が分離可能とされている６または７記載のシート収納ケース。
【請求項９】
請求項１ないし８のいずれかに記載のシート収納ケースと、このシート収納ケースの中に収納されたシート積層体を有し、
前記蓋体が上方へ持上げられたときに、前記シート積層体の一部が、前記開口部から突出することを特徴とするシートパッケージ。
【請求項１０】
前記シート積層体は、折り畳まれたシートが複数枚重ねられたものであり、シート積層体の上面には、折り畳まれたシートの縁部が、シート積層体の側面と側面との中間に位置しており、前記縁部を摘んで前記開口部から取り出し可能とされている請求項９記載のシートパッケージ。
【発明の詳細な説明】
【０００１】
【発明の属する技術分野】
本発明は、紙製、不織布あるいは樹脂フィルムまたはこれらの複合体であるシートを収納するシート収納用ケース、および前記シート収納用ケースに、シート積層体が収納されたシートパッケージに関する。
【０００２】
【従来の技術】
家庭内などで、紙、不織布、樹脂フィルムで形成されたシート、あるいはこれらが複合されたシートが清掃、食器拭き、体拭きなどの各種用途に使用されている。この種のシートは紙製のケースに収納されているが、その収納形態は、所定面積となるように予めカットされたものが折り畳まれて、この折り畳まれたシートが積層された状態で前記ケース内に収納されるもの、あるいは長尺状の１枚のシートが折り畳まれるとともに、ミシン目が形成されて、このミシン目により必要な面積ごとに切断できる状態で前記ケースに収納されているものなどがある。
【０００３】
また、予めカットされたシートが折り畳まれて積層されたものでは、折り畳まれた個々のシートが単純に重ねられ、ケースの開口部からシートが１枚ずつ独立して取り出されるもの、あるいは下に位置するシートと上に位置するシートとが関連して折り畳まれ、上側のシートがケースの開口部から取り出されると、その下に位置する次のシートの一部が持ち上げられて前記開口部から突出するいわゆるポップアップ方式の積層構造などが有り得る。
【０００４】
前記シートは、紙製のケース内に収納されており、前記ケースの一部を破り取ることにより、前記ケースに開口部が形成されるのが一般的である。また、従来のこの種のケースは六面体の箱であり、長方形の上面に前記開口部が形成され、あるいは前記上面から長方形の前側面にかけて開口部が形成されるのが通常である。これらケースは、前記上面が上向きとなるいわゆる横置きに設置して、前記シートを開口部から上向きに取り出すことを想定している。
【０００５】
また、以下の特許文献１に記載のケースでは、長方形の上面と長方形の側面にかけて開口部が形成されているが、この開口部は、箱体の長手方向に向けて台形状に形成されている。このケースは、長方形の上面および長方形の側面のそれぞれの長辺を垂直な向きとしたいわゆる縦置き設置することを想定しているものである。前記縦置き状態において、前記開口部を逆台形状の向きとすることにより、シートを水平な向きに取り出しやすくするというものである。
【０００６】
【特許文献１】
特開平１０−１６９４９号公報
【０００７】
【発明が解決しようとする課題】
前記従来の横置きを想定したシートパッケージのケースは、長方形の上面に開口部が形成され、または長方形の上面から長方形の前側面にかけて開口部が形成されており、ケース内のシートを上向きに引き出すようにしている。しかし、前記開口部の面積は、ケース内のシートの面積よりも狭いため、開口部から取り出すときにケースに与える抵抗力が大きく、シートと一緒にケースが持ち上がってしまうことが多い、特に前記のポップアップ方式のものは前記抵抗が大きくなる。
【０００８】
また、前記の横置きを想定したものは、開口部が主に長方形の上面に形成されているため、六面体の箱体のうちの最も面積の小さい端面を使用者に向けて設置すると、シートを開口部から上方へ引き出しにくくなって不便である。したがって、例えばシートパッケージを食器棚の中に設置するときは、常に長方形の前側面が前記食器棚内において前方に向けられていないとシートをうまく引き出すことができず、棚での設置の向きが限定されて、棚のスペースを有効に利用することができなくなる。またシートパッケージの長方形の前側面を棚の前方に位置させて設置しておくことが必要であるため、シートを取り出すときに、シートパッケージが棚から脱落しやすい。
【０００９】
また前記シートパッケージを引き出しの中に収納した場合には、箱体全体が露出するまで引き出しを長く引き出さないと、ケース内からシートを上に向けて取り出すことができなくなる。この場合も、前記ケースを引き出し内に配置する向きが限定されてしまう。
【００１０】
また、前記特許文献１に記載のものは、長方形の上面および側面の長辺が垂直となるような縦置き配置を前提としているものであるが、このような縦置きでは、ケースの設置が不安定である。また開口部がケース内のシートの面積よりも狭いために開口部からシートを引き出すときにケースに与える抵抗が大きい。よって縦向きに設置したケースが、シートの取り出し方向へ倒れやすくなり、実用的とはいえない。また、特許文献１に記載のケースを、その長方形の側面が手前に向くように横置きに設置して使用することもできるが、この場合もシートを取り出すときにケースに与える抵抗力が大きく、ケースがシートと一緒に持ち上がることがある。また、食器棚や引出しの中に設置したときの不便さは、前記横置きを想定した従来のケースと同様である。
【００１１】
本発明は上記従来の課題を解決したものであり、六面体の箱体で形成されたものにおいて、シート積層体のシートを取り出しやすくし、また面積が最も小さい端面を手前に向けた状態での使用も可能なシートパッケージを提供することを目的としている。
【００１２】
【課題を解決するための手段】
本発明は、互いに対向する長方形の上面および長方形の底面と、前記上面の長辺と前記底面の長辺とを繋ぐ一対の長方形の側面と、前記上面と底面のそれぞれの短辺および前記一対の側面のそれぞれの短辺を繋ぐ一対の端面とを有して、六面体の箱体とされたシート収納用ケースにおいて、
前記上面には、一方の短辺と他方の短辺との中間に折り部が設けられて、前記上面は前記折り部と前記短辺との間が蓋上面とされ、前記端面は、前記蓋上面に繋がる蓋端面と前記底面に繋がる本体端面とに区分され、それぞれの側面は、前記蓋上面に繋がる蓋側面と前記蓋側面を除く本体側面とに区分されており、
前記蓋上面と蓋端面および蓋側面とで形成された蓋体が、前記折り部を介して上方へ折り曲げられたときに、前記本体端面の開口縁部と前記本体側面の開口縁部および前記折り部とで囲まれた開口部が現れることを特徴とするものである。
【００１３】
このシート収納ケースでは、六面体の箱体の上面と端面および側面の一部が一緒に蓋体となって開くことができ、蓋体が開いたときに、ケースの内部に収納されるシート積層体の一部が前記開口部から完全に露出する。したがって、ケースに大きな抵抗力を与えることなくシートをケース内から容易に引き出すことができる。
【００１４】
また、六面体の箱体の最も面積の小さい端面を手前に向けた設置状態においても、前記蓋体を上方へ持上げて、シートを確実に取り出すことが可能である。ケースを前記向きに設置することにより、狭い設置スペースや保管スペースにケースを設置することが可能になる。
【００１５】
また本発明は、前記底面から前記本体端面の開口縁部までの高さ寸法が、前記底面から前記上面までの全体高さ寸法よりも低いものとなる。
【００１６】
この構成では、蓋体を持ち上げたときに、シート積層体の上方部分が、開口部に大きく露出することになるため、シートを上から順番に取り出しやすくなる。
【００１７】
また本発明では、前記本体側面の開口縁部は、前記本体端面の開口縁部との境界点を起点として前記折り部に向かうにしたがって、前記底面から徐々に離れる傾斜部分を有しているものとなる。
【００１８】
このシート収納ケースでは、本体側面の開口縁部が斜めに延びているため、シート積層体が本体側面の開口縁部よりも先方に現れるようになり、シートを順番に取り出しやすくなる。またケースの側面を手前側に向けて設置しても、前記本体側面の開口縁部の上方に露出しているシートを取り出すことが可能になる。
【００１９】
本発明では、前記開口縁部までの高さ寸法が、前記全体高さ寸法の２０〜７０％であることが好ましい。
【００２０】
この範囲であると、ケース内のシート積層体のシートを上から順番に取り出しやすく、またケースの底部に残っているケースも開口部から取り出しやすくなる。
【００２１】
また本発明では、前記上面の長辺の長さ寸法に対し、前記蓋上面の同方向の長さ寸法が、２５〜７５％の範囲内であることが好ましい。
【００２２】
前記範囲内であれば、蓋体を持ち上げたときの開口部の面積が狭すぎることがなく、ケース内のシートを全て取り出しやすくなる。また前記範囲内であれば、蓋体を持上げる操作が容易である。
【００２３】
本発明では、前記箱体が紙材で形成されており、前記端面に切れ目が間欠的に並ぶ切断線が設けられ、この切断線で前記端面を切断することにより、前記蓋端面と本体端面とに分離可能とされているものとして構成できる。
【００２４】
また、前記箱体が紙材で形成されており、前記側面に切れ目が間欠的に並ぶ切断線が設けられ、この切断線で前記側面を切断することにより、前記蓋側面と本体側面とに分離可能とされているものとして構成できる。
【００２５】
このように紙製の箱体に切断線を形成することにより、開封前はケース内部の密閉度を高く保つことができ、開封時は前記切断線の部分で紙材を切断することにより、蓋体を容易に分離できる。
【００２６】
また、本発明では、両側の端面のそれぞれに前記蓋端面を分離する切断線を形成し、両側面には、一方の端面の蓋端面に繋がる蓋側面と、他方の端面の蓋端面に繋がる蓋側面の双方を切断できる切断線を設け、一対の端面のいずれか一方を任意に選択して、この選択した端面側に開口部を形成することも可能である。
【００２７】
また本発明は、前記折り部に、切れ目が間欠的に並ぶ切断線が設けられ、この切断線で前記蓋体が分離可能とされているものである。
【００２８】
例えば、ケース内のシートを短時間で使い切れるような場合、あるいはケースを引き出し内に収納しておく場合などでは、蓋体を切り離しておけば、蓋体を持ち上げることなく、常に開口部からシートを取り出すことができる。
【００２９】
また、本発明のシートパッケージは、前記いずれかに記載のシート収納ケースと、このシート収納ケースの中に収納されたシート積層体を有し、
前記蓋体が上方へ持上げられたときに、前記シート積層体の一部が、前記開口部から突出することを特徴とするものである。
【００３０】
シート積層体の一部が前記開口縁部から突出しているため、シートを順番に取り出すのが容易である。
【００３１】
また本発明は、前記シート積層体は、折り畳まれたシートが複数枚重ねられたものであり、シート積層体の上面には、折り畳まれたシートの縁部が、シート積層体の側面と側面との中間に位置しており、前記縁部を摘んで前記開口部から取り出し可能とされているものである。
【００３２】
このシートパッケージでは、シート積層体に現れている前記縁部を摘むことにより、前記開口部から個々のシートを容易に取り出すことができる。
【００３３】
なお、本明細書での前記縁部とは、所定面積を有する１枚のシートの端縁の場合もあるし、あるいはシートを折り畳んだ折曲げ線が、前記縁部として現れている場合もある。またシートが２枚重ねを単位として取り出されるものでは、前記縁部に２枚のシートの端縁が存在している場合もあり得る。
【００３４】
【発明の実施の形態】
図１は本発明のシート収納ケースを用いたシートパッケージの開封前を示す斜視図、図２はシート収納ケースの蓋体を開放した状態のシートパッケージを示す斜視図、図３はシート収納ケースの内部に収納されるシート積層体の一部を示す斜視図、図４は、前記シート収納ケースの展開平面図である。
【００３５】
図１と図２に示すように、シートパッケージ１は、シート収納ケース１０と、このシート収納ケース１０に収納されたシート積層体２とを有している。
【００３６】
前記シート収納ケース１０は、厚紙で形成されている。あるいはシート収納ケース１０が、厚紙と樹脂フィルムとの積層体、あるいは厚紙と金属箔との積層体であって、例えばケースの内面に前記樹脂フィルムや前記金属箔が向けられているものであってもよい。この明細書では、これら積層体を含めて厚紙と呼ぶ。この厚紙の坪量は２００〜５００ｇ／ｍ２程度である。
【００３７】
また、シート積層体２を構成するシートが台所で使用される清掃用のキッチンシートあるいは揚げ物の油切りなどとして用いられるクッキングシートの場合、シート収納ケース１０の外面にはニスなどの樹脂コート膜が形成される。これにより、紙製のシート収納ケースの外面に食用油や水が付着しても、ケースの劣化を防ぐことができる。
【００３８】
図１に示すように、立体形状に組み立てられたシート収納ケース１０は、六面体の箱体である。また、図４に示す展開図に示される各部分は、厚紙により連続して一体に形成されている。
【００３９】
シート収納ケース１０の上面１１は、一対の長辺１２，１２および、前方短辺１３と後方短辺１４とで囲まれた長方形である。前記上面１１に対向する底面２１を図４の展開図で説明すると、この底面２１は、一対の長辺２２，２２および、前方短辺２３と後方短辺２４とで囲まれた長方形状である。この底面２１と前記上面１１は同じ大きさであり、図１に示す立体の状態で、前記上面１１と底面２１とが平行に対向している。
【００４０】
右側面３１は、前記上面１１と連続して形成されており、前記長辺１２とこの長辺１２に対向する長辺縁部３２、および前方短辺３３と後方短辺３４とで囲まれた長方形である。左側面４１は、前記上面１１と前記底面２１との間に連続して形成されており、前記長辺１２と長辺２２、および前方短辺４３と後方短辺４４とで囲まれた長方形である。右側面３１と左側面４１は、同じ大きさであり、図１に示す立体の状態で、右側面３１と左側面４１は平行に対向している。
【００４１】
前記底面２１の一方の長辺２２から側部接合片２５が一体に延びている。厚紙で形成されたシート収納ケース１０は、図４に示す展開状態において、長辺１２，１２および長辺２２，２２に沿う折癖が予め圧痕成形により付されている。前記各長辺において厚紙が直角に折り曲げられ、前記側部接合片２５が、右側面３１の内側に重ねられて長辺２２と長辺縁部３２とが一致した状態で、前記側部接合片２５と右側面３１とを接着などの手段で接合される。これにより、上面１１と底面２１とが平行に対向し、右側面３１と左側面４１とが平行に対向する。
【００４２】
前記上面１１には前方短辺１３を介して前方端面５１が連続して形成されている。この前方端面５１は、前記前方短辺１３と、これに対向する下縁５４および、前記前方短辺１３および下縁５４に直交する側縁５２と５３を有する長方形あるいは正方形である。前記上面１１には、後方短辺１４を介して後方端面６１が連続して形成されている。この後方端面６１は、前記後方短辺１４と、これに対向する下縁６４、および前記後方短辺１４と下縁６４の双方に直交する側縁６２，６３を有する長方形または正方形である。前記前方端面５１と後方端面６１は、互いに同じ形状で同じ大きさであり、図１に示す立体の状態で、前記前方端面５１と後方端面６１は、互いに平行に対向している。
【００４３】
前記底面２１には、前方短辺２３から連続する底部接合片２６と、後方短辺２４から連続して突出する底部接合片２７が一体に形成されている。前記右側面３１には、前方短辺３３から連続して突出する端部接合片３６と、後方短辺３４から連続して突出する端部接合片３７が一体に形成され、前記左側面４１には、前方短辺４３から連続して突出する端部接合片４６と、後方短辺４４から連続して突出する端部接合片４７が一体に形成されている。
【００４４】
図４に示す展開状態において、前記前方短辺１３，２３，３３，４３、および前記後方短辺１４，２４，３４，４４において厚紙に折り癖が圧痕成形などで付されている。前記前方短辺と後方短辺で厚紙が直角に折られ、端部接合片３６と端部接合片４６とが、前方端面５１の内面に重ねられ、側縁５２が前方短辺３３に一致し、側縁５３が前方短辺４３に一致する状態で、前記端部接合片３６および４６と、前方端面５１とが接着などにより接合される。また、底部接合片２６が、前方端面５１の内面に重ねられて、前方端面５１の下縁５４と底面２１の前方短辺２３が一致した状態で、前記底部接合片２６と前方端面５１とが接着などの手段で接合される。
【００４５】
これにより、前記前方端面５１によって、上面１１の前方短辺１３と底面２１の前方短辺２３、および右側面３１の前方短辺３３と、左側面４１の前方短辺４３とが繋がれる。
【００４６】
同様にして、端部接合片３７，４７と底部接合片２７が、後方端面６１の内面に重ねられて接着などの手段で接合され、前記後方端面６１によって、上面１１の後方短辺１４と底面２１の後方短辺２４、および右側面３１の後方短辺３４と、左側面４１の後方短辺４３とが繋がれる。この状態で、前方端面５１と後方端面６１とが平行に対向して六面体の箱体が形成される。なお、この箱体の組み立て過程の途中で、前記シート収納ケース１０内に、シート積層体２が納められる。
【００４７】
前記上面１１では、前方短辺１３と後方短辺１４との中間に折り部７１が設定されている。この折り部７１は、前記各短辺１３と１４と平行に延びる線状の圧痕成形を施すことにより形成できるが、この実施の形態では、前記折り部７１において、短い直線状の切れ目７１ａが間欠的に並ぶミシン目（パーフォレーション）が前記各短辺１３，１４と平行に形成されている。そして、前記上面１１は、折り部７１と前方短辺１３とで挟まれた部分が蓋上面１１Ａで、前記折り部７１と後方短辺１４とで挟まれた部分が本体上面１１Ｂとなっている。
【００４８】
前記前方端面５１には、側縁５２と側縁５３にかけて切断線７２が形成されている。この切断線７２も切れ目が間欠的に並ぶミシン目（パーフォレーション）により形成されている。この切断線７２は、側縁５２と側縁５３の部分で上面１１に最も近くなり、側縁５２と側縁５３との中点において下縁５４に接近する曲線形状である。また、切断線７２の中央部分には上面１１に向けて凸状の短い曲線状の切断線７３が形成されており、切断線７２と切断線７３とで挟まれた小さな領域が切り取り片５５となっている。
【００４９】
前記前方端面５１は、前記切断線７２と前方短辺１３とで挟まれた部分が、前記蓋上面１１Ａに繋がった蓋端面５１Ａであり、前記切断線７２と下縁５４とで挟まれた部分が、底面２１に繋がる本体端面５１Ｂとなっている。
【００５０】
なお、前記端部接合片３６と３７には、前記切断線７２の部分に倣って切欠き部３６ａ，４６ａが形成されている。前記端部接合片３６と４６が、前記前方端面５１の内面に接着などにより接合されたときに、切欠き部３６ａ，４６ａが、前記切断線７２の内側に位置し、前記切断線７２の部分で前方端面５１を切断するのを端部接合片３６と３７が妨げない構造となっている。
【００５１】
前記右側面３１には、ミシン目（パーフォレーション）で形成された切断線７４が形成されている。この切断線７４は、側縁５２において前記切断線７２と連続し、この側縁５２での連続部を起点とし折り部７１に向かうにしたがって底面２１から徐々に離れるように直線状に傾斜している。そして、切断線７４は長辺１２において折り部７１に連続している。右側面３１では、切断線７４と長辺１２と前方短辺３３（側縁５２）とで囲まれた三角の領域が蓋側面３１Ａであり、前記蓋側面３１Ａを除いた部分、すなわち前記切断線７４と長辺１２と長辺縁部３２および前方短辺３３（側縁５２）と後方短辺３４（側縁６２）とで囲まれた五角形の領域が本体側面３１Ｂとなっている。
【００５２】
図４の展開図に示すように、左側面４１には、右側面３１と同様に切断線７４が形成されており、この切断線７４を境界として、蓋側面４１Ａと本体側面４１Ｂが形成されている。
【００５３】
図２および図３に示すように、前記シート収納ケース１０に収納されるシート積層体２は、互いに独立したシート単体３が折り畳まれた状態で複数枚積層されたものである。シート単体３は、展開すると長方形または正方形であり、長い折り部３ａで折られて、一方の縁部３ｂが下側に向けられ、前記折り部３ａと平行な折り部３ｃで折られて、他方の縁部３ｄが上側に向けられている。そして前記縁部３ｄは、前記折り部３ａと折り部３ｃとの中間に位置している。
【００５４】
前記シート単体３が折り畳まれた状態で積層されたシート積層体２は、前記折り部３ａで個々のシート単体３が揃えられた側面２ａと、折り部３ｃで個々のシート単体３が揃えられた側面２ｂ、および端面２ｃを有している。このシート積層体２は、前記六面体のシート収納ケース１０よりも一回り小さい六面体構造となる。そして、最上部のシート単体３が取り出されると、次に最上部に現れるシート単体３は、常に縁部３ｄがシート積層体２の側面２ａと側面２ｂとの中間に位置し、この縁部３ｄを摘んでシート単体３を引き出せるようになる。
【００５５】
前記シート単体３は、紙、不織布、樹脂フィルム、あるいはこれらいずれかの材料を組み合わせてラミネートした複合シートである。このシート単体３は、台所などで使用するキッチンシート、または台所以外で使用する清掃シート、台所において揚げ物の油切りなどに使用されるクッキングシート、またはシート単体３が樹脂フィルムで袋状に形成された食品包装袋などである。またはシート単体３がティッシュペーパーであってもよい。シート積層体２は、前記シート単体３が前記のように折り畳まれて、２０〜１００枚程度積み重ねられたものである。
【００５６】
前記のように、図４に示す展開状態の厚紙を折り畳んで立体形状に組み立てる過程で、シート収納ケース１０内に前記シート積層体２が収納される。例えば、上面１１、底面２１、右側面３１および左側面４１が互いに直角となるように折られて、側部接合片２５と右側面３１とが接着された角筒の状態で、前記シート積層体２が前記角筒の内部に挿入され、その後に前方端面５１と後方端面６１で前記角筒の開口が閉じられて図１に示すように内部が密閉したシートパッケージ１が得られる。
【００５７】
このシートパッケージ１は、切断線７２および７４，７４の部分で厚紙を切断することにより開封できる。例えば、切り取り片５５を指で押し込んで、切断線７２と切断線７３で囲まれた前記切り取り片５５を除去する。切り取り片５５が取り去られた孔部に指を入れて上向きに押し上げると、切断線７２の部分で厚紙を切断することができ、前方端面５１において蓋端面５１Ａと本体端面５１Ｂとを分離できる。さらに蓋端面５１Ａを押し上げると、両側面３１，４１の切断線７４，７４の部分で厚紙が切断され、右側面３１において蓋側面３１Ａと本体側面３１Ｂとが分離し、左側面４１において蓋側面４１Ａと本体側面４１Ｂとが分離する。
【００５８】
シート収納ケース１０は、前記切断線７２および切断線７４，７４で切断された時点で、本体部８０と蓋体８１とに区分される。前記蓋体８１は、蓋上面１１Ａと、これに繋がる蓋端面５１Ａおよび蓋側面３１Ａ，４１Ａとで形成される。また本体部８０は、本体上面１１Ｂと底面２１、本体側面３１Ｂと４１Ｂ、本体端面５１Ｂおよび後方端面６１とで形成される。
【００５９】
蓋体８１は、折り部７１の部分をヒンジとして回動でき、図２に示すように蓋体８１を持上げたときに、本体部８０に開口部８２が形成される。この開口部８２は、本体端面５１Ｂの上縁である開口縁部８３と、本体側面３１Ｂに形成される斜めの開口縁部８４および本体側面４１Ｂに形成される斜めの開口縁部８５と、前記折り部７１とで囲まれた範囲に形成される。
【００６０】
前記蓋体８１が本体部８０から分離された状態で、本体部８０は六面体ではなくなり、斜めの開口縁部８４，８５よりも上の部分が除去された形状になる。そして開口部８２は、水平方向と垂直方向に対して斜めに向く。一方、内部に収納されているシート積層体２は図１に示す密封状態のシート収納ケース１０よりもひとまわり小さい六面体である。よって、蓋体８１が分離されると、シート積層体２の端面２ｃの一部が本体端面５１Ｂの開口縁部８３よりも上方に現れ、またシート積層体２の側面２ａと側面２ｂのそれぞれの一部が、本体側面３１Ｂの開口縁部８４および本体側面４１Ｂの開口縁部８５よりも上方へ現れる。
【００６１】
斜めに開口している開口部８２から、シート積層体２の端面２ｃおよび側面２ａ，２ｂの一部が完全に露出しているため、最上部のシート単体３を開口部８２から取り出すときにこのシート単体３がシート収納ケース１０へほとんど抵抗を与えることがない。よって片手でシート単体３を取り出す際に、ケースが不用意に動くのを防止できる。この実施の形態では、シート単体３が折り畳まれて、その縁部３ｄが、折り部３ａと３ｃとの中間、すなわちシート積層体２の側面２ａと側面２ｂとの中間に位置している。よって、シート積層体２の最上部に現れているシート単体３は、前記縁部３ｄをつまみ代として用い、この縁部３ｄを摘むことにより開口部８２から容易に引き出すことができる。また前記縁部３ｄをつまみ代としてシート単体３を取り出すことにより、ケースの底部に数少なく残ったシート単体３も確実に引き上げることができる。
【００６２】
前記開口部８２は、シート収納ケース１０の前端面５１から右側面３１および左側面４１にかけて開口し、さらに上面１１も開口した状態になるため、シート積層体２の最上部に位置するシート単体３を底面２１と平行な向きで水平に引き出すこともできるし、または底面２１と垂直な上向きに引き出すこともできる。
【００６３】
また、このシートパッケージ１は、前方端面５１が使用者に対して手前に向くように設置した状態で、開口部８２からシート単体３を容易に取り出すことができる。よって、シートパッケージ１を台所などの壁際において前方端面５１が手前に向くように設置することができる。また棚の上に設置したときに、前方端面５１を手前に向けて設置でき、このとき底面２１の長辺２２が棚の奥側に向くようになる。この状態で、開口部８２からシート単体３を取り出すときに、前記長辺２２が棚の奥行き方向に向いているため、シートパッケージ１が棚から落下しにくい。
【００６４】
なお、シートパッケージ１は、右側面３１または左側面４１が手前に向くように設置しても、開口部８２からシート単体３を取り出すことは容易である。また前方端面５１が上を向くように縦向きに設置して使用することも可能である。
【００６５】
また、蓋体８１は、蓋上面１１Ａと蓋端面５１Ａと、蓋側面３１Ａ，４１Ａとが立体的に繋がって構成されているため、蓋体８１の剛性が高くなり歪みにくい構造となっている。したがって、蓋体８１を閉じたときに、この蓋体８１で開口部８２を確実に塞ぐことができ、埃やゴミなどがシート積層体２に付着するのを防止できる。
【００６６】
また、蓋上面１１Ａと蓋端面５１Ａと、蓋側面３１Ａ，４１Ａとで形成された蓋体８１は、比較的重量が大きいため、図２に示すように、開封状態において、蓋体８１を、蓋上面１１Ａが本体上面１１Ｂに重なった状態で安定させることができる。よって片手で蓋体８１を上向きに押し上げて、そのまま片手でシート単体３を取り出すときに、蓋体８１が不用意に開口部８２に向けて閉じることがない。また、蓋体８１を閉じたときも、その自重で閉鎖状態で安定しやすい。
【００６７】
なお、蓋体８１の蓋端面５１Ａの端部には、前記切り取り片５５を除去した凹部８７が形成されているため、蓋体８１を上向きに持上げるときに、蓋端面５１Ａに形成された前記凹部８７に指を入れて、蓋体８１を容易に持上げることができる。
【００６８】
なお、この実施の形態では、上面１１の折り部７１がミシン目で形成されているため、この部分で蓋上面１１Ａと本体上面１１Ｂを分離することにより、蓋体８１を取り外すことができる。蓋体８１を取り外した状態では、シートパッケージ１を、前方端面５１を手前にして引き出しの中に配置することができる。この場合、底面２１の長辺２２を引き出しの奥側に向けて設置できるので、引き出しの収納スペースを有効利用できる。しかも引き出しを、開口部８２が現れるまで引き出せばよく、シートパッケージ１の全体が現れるまで引き出す必要がなくなる。
【００６９】
図４において、上面１１の長辺１２の全長寸法をＬ０とし、蓋上面１１Ａの同方向の長さ寸法をＬ１としたときに、Ｌ１／Ｌ０は、０．２５〜０．７５の範囲が好ましい。０．２５未満であると、上面１１での開口部８２の開口面積が狭くなり、シート単体３を取り出しにくくなる。また０．７５を超えると、蓋体８１を開閉させにくくなる。さらに好ましくは、Ｌ１／Ｌ０は、０．３〜０．７の範囲である。
【００７０】
また、前方端面５１の高さ寸法、すなわち底面２１から上面１１までの高さ寸法をＨ０とし、本体端面５１Ｂの最小高さ寸法をＨ１としたときに、Ｈ１／Ｈ０は、０．２〜０．７の範囲が好ましい。０．７以下であれば、シート単体３を最後の１枚まで確実に取り出すことができ、また０．２以上であれば、本体端面５１Ｂの高さを確保でき、本体部８０の剛性が低くなるのを防止でき、本体部８０に歪みが生じるのを防止できる。また本体部８０の剛性を維持するためには、前記Ｈ１は３０ｍｍ以上であることが好ましい。
【００７１】
なお、右側面３１と左側面４１に形成されている切断線７４，７４の、前方端面５１側の端部７４ａ，７４ａは、前記前方端面５１での切断線７２の端部７２ａ，７２ａと一致していることが好ましいが、前記端部７４ａ，７４ａが、前記端部７２ａ，７２ａと一致しておらず、端部７４ａ，７４ａが端部７２ａ，７２ａよりも上面側に位置していてもよい。
【００７２】
また、前記実施の形態の変形例として、前方端面５１と後方端面６１の双方に切断線７２と７３が形成されており、右側面３１と左側面４１には、折り部７１から前方端面５１に向けて延びる切断線７４，７４のみならず、折り部７１から後方端面６１に向けて延びる前記切断線７４，７４と左右対称の切断線を形成しておいてもよい。この場合、前方端面５１から開口部を形成してもよいし、後方端面６１から開口部を形成してもよくなり、開口部を形成する向きを任意に選択できるようになる。
【００７３】
次に、図５と図６は、前記実施の形態の他の変形例を示すシート収納ケース１０の展開図である。
【００７４】
図５と図６では、前方端面５１に設けられた切断線のパターンが前記実施の形態と相違し、それ以外の構造は前記実施の形態と同じである。
【００７５】
図１と図４に示す実施の形態では、前方端面５１に曲線形状の切断線７２が形成されているが、図５の変形例では、前方端面５１に水平な向きの直線状の切断線７２Ａと、前記切断線７２Ａの両端から上面１１に向けて直線的に斜めに延びる切断線７２Ｂ，７２Ｂが形成されている。この場合、端部接合片３６と４６に形成される切欠き部３６ｂ，４６ｂは前記斜めの切断線７２Ｂ，７２Ｂに倣って斜めに直線状に形成されている。
【００７６】
図６に示す変形例では、前方端面５１に切断線７２Ｄが直線状に水平に設けられている。この場合も、端部接合片３６，４６には、前期切断線７２Ｄに倣うように直線状の切欠き部３６ｃ，４６ｃが形成されている。
【００７７】
また、シート積層体２は、連続する帯状のシートが折り畳まれて、このシートがミシン目を介して所定面積のシート単体に分離できるものであってもよい。
【００７８】
【発明の効果】
以上のように本発明では、六面体のシート収納ケースにおいて面積の小さい端面から上面にかけて開口部が形成されるため、開口部からシート積層体が突出するようになり、開口部からシートを取り出しやすくなる。また、端面を手前に向けた設置状態でシートを取り出すことができ、シートパッケージの配置スペースの有効利用ができる。また蓋体は、蓋上面と蓋端面および蓋側面を有する立体形状になるため、蓋体は形状を維持した状態で開閉できるようになる。
【図面の簡単な説明】
【図１】本発明のシート収納ケースおよびシートパッケージを示す斜視図
【図２】シート収納ケースの蓋体を分離した状態を示す斜視図
【図３】シート積層体の部分斜視図、
【図４】前記シート収納ケースの展開図、
【図５】前記実施の形態の変形例を示すシート収納ケースの展開図、
【図６】前記実施の形態の変形例を示すシート収納ケースの展開図、
【符号の説明】
１  シートパッケージ
２  シート積層体
３  シート単体
３ｄ  縁部
１０  シート収納ケース
１１  上面
１１Ａ  蓋上面
１１Ｂ  本体上面
１２  長辺
１３  前方短辺
１４  後方短辺
２１  底面
２２  長辺
２３  前方短辺
２４  後方短辺
３１  右側面
３１Ａ  蓋側面
３１Ｂ  本体側面
４１  左側面
４１Ａ  蓋側面
４１Ｂ  本体側面
５１  前方端面
５１Ａ  蓋端面
５１Ｂ  本体端面
７１  折り部
７２，７３，７４  切断線
８０  本体部
８１  蓋体
８２  開口部
８３，８４，８５  開口縁部
【図１】
2004182282.tif 000003
【図２】
2004182282.tif 000004
【図３】
2004182282.tif 000005
【図４】
2004182282.tif 000006
【図５】
2004182282.tif 000007
【図６】
2004182282.tif 000008